(57)【要約】【課題】封筒として郵便等に供された後にピクチャーフレームとして使用することができるピクチャーフレーム機能付き封筒の提供を目的とするものである。【解決手段】重畳された表シート２と裏シート３とを備える長方形状の封筒１であって、ａ）表シート２及び裏シート３に連続して形成され、一方の短辺６側を切除可能とするサイズ短縮用ミシン目１０、１８と、ｂ）表シート２に形成され、中央部を開口可能とする開口用ミシン目９と、ｃ）表シート２裏面に開口用ミシン目９により開口される中央部以外の領域で貼設される透明フィルム４と、ｄ）裏シート３に形成され、スタンド片２６が形成可能なスタンド用ミシン目１９とを有している。【選択図】  図１
2004189294.tif 000002
【特許請求の範囲】
【請求項１】
重畳された表シートと裏シートとを備える長方形状の封筒であって、
この表シート及び裏シートに連続して形成され、一方の短辺側を切除可能とするサイズ短縮用ミシン目と、
表シートに形成され、中央部を開口可能とする開口用ミシン目と、
表シート裏面に、上記開口用ミシン目により開口される中央部以外の領域で貼設される透明フィルムと
を有することを特徴とするピクチャーフレーム機能付き封筒。
【請求項２】
上記裏シートに形成され、スタンド片が形成可能なスタンド用ミシン目をさらに有する請求項１に記載のピクチャーフレーム機能付き封筒。
【請求項３】
上記裏シート側を貼着可能に構成する貼着手段をさらに備えている請求項１に記載のピクチャーフレーム機能付き封筒。
【請求項４】
上記貼着手段として自己粘着シートが用いられており、
この自己粘着シートが、基材層と、この基材層の裏面に積層される自己粘着処理層と、基材層の表面側の中央部に積層される粘着剤層と、この粘着剤層の表面に積層される離型シートとを備えている請求項３に記載のピクチャーフレーム機能付き封筒。
【請求項５】
上記貼着手段としてマグネットシートが用いられており、
このマグネットシートが、磁気を有するマグネット層と、このマグネット層の表面側に積層される粘着剤層と、この粘着剤層の表面に積層される離型シートとを備えている請求項３に記載のピクチャーフレーム機能付き封筒。
【発明の詳細な説明】
【０００１】
【発明の属する技術分野】
本発明は、封筒としての基本的機能に加えてピクチャーフレームとしての機能をも有するピクチャーフレーム機能付き封筒に関するものである。
【０００２】
【従来の技術】
手紙、文書などを入れて郵便、宅配等に供するための封筒は、一般的には紙素材から形成され、大量に使用されている。また、今日では上質紙、和紙等の高級な紙素材からなる封筒も市販されている。
【０００３】
【発明が解決しようとする課題】
上記従来の封筒は、長方形の袋状に形成され、手紙、文書などを封入して郵便等に供する機能のみしか有していない。そのため、従来の封筒は、郵便、宅配等に供された後には原則として破棄されている。従って、従来の封筒は、リサイクルの対象となっている新聞紙等と比較して使用量は少量であるが、環境負荷に一定の影響を与えている。特に、高級な紙素材からなる封筒は尚更である。
【０００４】
本発明はこれらの不都合に鑑みてなされたものであり、封筒として郵便等に供された後にピクチャーフレームとして使用することができるピクチャーフレーム機能付き封筒の提供を目的とするものである。
【０００５】
【課題を解決するための手段】
本発明者は、封筒に手紙、文書等を封入する基本的機能に加えて他の機能が付与できれば使用期間の延長によって環境負荷に及ぼす影響が減少できる点に着目し、鋭意検討を行った結果、封筒のサイズ、強度、質感等から加工を施せばピクチャーフレームに転用できることを見出した。
【０００６】
上記課題を解決するためになされた発明は、重畳された表シートと裏シートとを備える長方形状の封筒であって、（ａ）この表シート及び裏シートに連続して形成され、一方の短辺側を切除可能とするサイズ短縮用ミシン目と、（ｂ）表シートに形成され、中央部を開口可能とする開口用ミシン目と、（ｃ）表シート裏面に上記開口用ミシン目により開口される中央部以外の領域で貼設される透明フィルムとを有することを特徴とするピクチャーフレーム機能付き封筒である。
【０００７】
当該ピクチャーフレーム機能付き封筒によれば、表シート及び裏シートに連続して形成されサイズ短縮用ミシン目に沿って切断することで、長方形状の当該封筒の一方の短辺側を切除することができ、写真等のピクチャーサイズに適合させることができる。また、表シートに形成され開口用ミシン目に沿って切断することで、当該封筒の表シートの中央部を開口させることができ、当該封筒に封入した写真等が外部から視認可能となる。さらに、表シート裏面に透明フィルムが貼設されているため、開口用ミシン目の切断により形成される表シートの開口部が透明フィルムによって被覆され、当該封筒内に封入した写真等が視認性を阻害することなく保護される。
【０００８】
当該ピクチャーフレーム機能付き封筒は、上記裏シートに形成され、スタンド片が形成可能なスタンド用ミシン目をさらに有するとよい。当該手段によれば、裏シートに形成されるスタンド用ミシン目に沿って切断し、このスタンド用ミシン目で囲まれるスタンド片を外側に曲折することで、裏シート側にスタンドが形成され、当該ピクチャーフレーム機能付き封筒にスタンド機能が付与される。
【０００９】
一方、当該ピクチャーフレーム機能付き封筒は、上記裏シート側を貼着可能に構成する貼着手段をさらに備えるとよい。当該手段によれば、貼着手段によって当該封筒を種々の場所に貼着することができる。
【００１０】
上記貼着手段としては、基材層と、この基材層の裏面に積層される自己粘着処理層と、基材層の表面側の中央部に積層される粘着剤層と、この粘着剤層の表面に積層される離型シートとを備える自己粘着シートを用いるとよい。当該貼着手段によれば、自己粘着シートの離型シートを剥離し、露出した粘着剤層を当該封筒の裏シートに貼設することで、当該封筒の裏面側を例えば部屋の窓ガラス、冷蔵庫の壁面等の平滑面に自在に貼り付けることができる。また、当該貼着手段は自己粘着処理層が有する自己粘着性を用いているため、貼り直しが容易かつ自在に行え、貼り付け面を汚したり、傷つけることが防止される。
【００１１】
また、上記貼着手段としては、磁気を有するマグネット層と、このマグネット層の表面側に積層される粘着剤層と、この粘着剤層の表面に積層される離型シートとを備えるマグネットシートを用いてもよい。当該貼着手段によれば、マグネットシートの離型シートを剥離し、露出した粘着剤層を裏シートに貼設することで、当該封筒の裏面側を例えば鉄製書庫、冷蔵庫等に自在に貼り付けることができる。
【００１２】
【発明の実施の形態】
以下、適宜図面を参照しつつ本発明の実施の形態を詳説する。図１（ａ）及び（ｂ）は本発明の一実施形態に係るピクチャーフレーム機能付き封筒を示す表面図及び裏面図、図２（ａ）及び（ｂ）は図１の封筒をピクチャーフレームに組み立てた状態を示す表面側斜視図及び裏面側斜視図、図３（ａ）及び（ｂ）は図１の封筒とは異なる形態のピクチャーフレーム機能付き封筒を示す表面図及び裏面図、図４は図３の封筒を組み立てた状態を示す裏面側斜視図、図５は本発明の一実施形態に係る自己粘着シートを示す模式的斜視図、図６は本発明の一実施形態に係るマグネットシートを示す模式的斜視図、図７（ａ）及び（ｂ）と図８（ａ）及び（ｂ）は図１及び図３の封筒とは異なる形態の開口用ミシン目及びその開口状態を示す表面図である。
【００１３】
図１のピクチャーフレーム機能付き封筒１は、縦型スタンドタイプのものであり、袋状に外縁部が接合される長方形状の表シート２と裏シート３とを備え、さらに表シート２の裏面に貼設される方形の透明フィルム４を備えている。この封筒１は、一般的な封筒と同様に、表シート２及び裏シート３の間に手紙、文書、写真等が封入可能に構成されている。なお、当該封筒１を封止するために表シート２の一辺から延出する糊代５は、裏シート３に貼設され、裏シート３を構成するものとする。
【００１４】
表シート２及び裏シート３の素材としては、特に限定されるものではなく、紙素材、合成樹脂フィルム等が用いられる。使用可能な紙素材としては、例えば未晒クラフト紙、晒クラフト紙、上質紙、中質紙、片艶未晒クラフト紙、純白ロール、グラシン紙、感熱紙、感圧紙、合成紙、和紙、トレーシングペーパー、各種コート紙、板紙、ライナー紙等が挙げられる。また、使用可能な合成樹脂としては、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が挙げられる。透明フィルム４の素材としては、特に限定されず、上記合成樹脂フィルムが用いられる。
【００１５】
表シート２は、一方の短辺６側の角部の切手貼設領域７と、短辺６に沿って開封のための切断箇所を表示する開封目印線８と、開口用ミシン目９と、サイズ短縮用ミシン目１０と、押罫１１と、切取用ミシン目１２と、開口用ミシン目９の内方の宛先表示領域１３とを有している。
【００１６】
開口用ミシン目９は、楕円状に形成されており、表シート２の中央部の他方の短辺１４よりに位置している。この開口用ミシン目９の一部には、切り取りの切っ掛けとなる打抜き部１７を有している。サイズ短縮用ミシン目１０は、開口用ミシン目９の短辺６側かつ短辺６と平行に位置する曲折予定線１５を基準としてその両端から短辺６側へ山状に形成されており、頂部に打抜いたＶ字状の切込み１６を有している。押罫１１は、表シート２の押圧により形成される凹条線であり、開口用ミシン目９の外周部に開口用ミシン目９に沿って形成されている。切取用ミシン目１２は、サイズ短縮用ミシン目１０の切り取りを容易にするものであり、サイズ短縮用ミシン目１０の頂部付近と短辺６とを連結するよう形成されている。
【００１７】
裏シート３は、短辺６に沿って開封のための切断箇所を表示する開封目印線８と、サイズ短縮用ミシン目１８と、スタンド用ミシン目１９と、差出人表示領域２０とを有している。
【００１８】
サイズ短縮用ミシン目１８は、表シート２の曲折予定線１５と対偶するよう短辺６と平行に形成されている。このサイズ短縮用ミシン目１８は、表シート２のサイズ短縮用ミシン目１０と連続している。スタンド用ミシン目１９は、サイズ短縮用ミシン目１８の中央付近から垂直に位置する曲折予定線２７を基準としてその両端から舌片状に形成されており、具体的には曲折予定線２７の短辺６側端から延びる短辺６と略平行な略直線部２１、曲折予定線２７の短辺１４側端から延びる円弧状の湾曲部２２、略直線部２１及び湾曲部２２間に形成され、切り取りの切っ掛けとなる打抜き部２３、及び略直線部２１の中間部に形成されるＶ字状の切込み２４を有している。この切込み２４は、外側に傾斜しており、その傾斜角が表シート２の切込み１６との差込みが可能な角度に設定されている。
【００１９】
透明フィルム４は、表シート２の裏面に開口用ミシン目９の外側領域で貼設されている。この透明フィルム４は、無色透明、有色透明及び半透明とされ、封入された写真等の外部からの視認性を考慮すると無色透明が好ましい。
【００２０】
開口用ミシン目９、サイズ短縮用ミシン目１０、切取用ミシン目１２、サイズ短縮用ミシン目１８及びスタンド用ミシン目１９のミシン寸法（打ち抜かれる刃寸法及び刃間の止め寸法）は、郵便等に供される際に封筒としての形状が維持でき、かつ人手で切り取りが可能な寸法であれば、特に限定されるものではない。特に、刃寸法が約０．３５ｍｍで止め寸法が約０．２３ｍｍのいわゆるマイクロミシンが、切り取り易さ、切り取り端縁の美しさ等の点で好ましい。
【００２１】
上記構造の当該ピクチャーフレーム機能付き封筒１は、郵便等の便に供する封筒としての基本的機能に加えて、ピクチャーフレームとしての機能を兼備している。当該封筒１を、郵便等に使用後、ピクチャーフレームとして使用する方法を以下に示す。まず、開封目印線８に沿った短辺６側縁部の切断によって開封した後に、この開口縁から連続する表シート２の切取用ミシン目１２を起点に、サイズ短縮用ミシン目１０及び裏シート３のサイズ短縮用ミシン目１８を切断し、短辺６側部分を切除する。一方、打抜き部１７から開口用ミシン目９に沿って切断し、表シート２の開口用ミシン目９で囲まれる領域を切除する。その後、内部に写真等のピクチャーを入れ、表シート２のサイズ短縮用ミシン目１０と曲折予定線１５との間の山状の封止片２５を曲折予定線１５で裏シート３側に曲折する。次に、裏シート３の打抜き部２３からスタンド用ミシン目１９に沿って切断し、スタンド用ミシン目１９で囲まれる舌片状のスタンド片２６を曲折予定線２７で外側に略垂直に曲折し、封止片２５の切込み１６とスタンド片２６の切込み２４とを差し込み係合させる（図２（ｂ）参照）。これにより、ピクチャーフレームが完成し、図２（ａ）に示すように表シート２の開口部から内部に収納したピクチャーが透明フィルム４を介して視認可能となり、図２（ｂ）に示すようにスタンド片２６によりピクチャーフレームを縦に立てることができる。なお、表シート２に形成される開口部の周辺には押罫１１が形成されているため、開口部の強度が向上する。
【００２２】
また、切込み１６及び切込み２４は、その底部にスリットを有するとよい。このスリット同士を組み合わせることで、スタンド片２６と封止片２５との係合が堅固となる。
【００２３】
図３（ａ）及び（ｂ）のピクチャーフレーム機能付き封筒３１は、横型スタンドタイプのものであり、表シート２、裏シート３及び透明フィルム４を備えている。この表シート２は、切手貼設領域７、開封目印線８、開口用ミシン目３２、サイズ短縮用ミシン目３３、押罫３４、切取用ミシン目１２及び宛先表示領域１３を有している。裏シート３は、開封目印線８、サイズ短縮用ミシン目１８、差込スリット３７、スタンド用ミシン目３９、スタンド係止用ミシン目４２及び差出人表示領域２０を有している。当該封筒３１は、上記封筒１とほぼ同様の構造を有しているため、同一内容箇所は同一番号を付して説明を省略する。従って、当該封筒３１も、郵便等の便に供する封筒としての基本的機能に加えてピクチャーフレームとしての機能を兼備している。
【００２４】
開口用ミシン目３２は、上記開口用ミシン目９と同様のものであるが、その形状が角部が丸められた方形とされており、その一の角部に切り取りの切っ掛けとなる打抜き部３６を有している。サイズ短縮用ミシン目３３は、曲折予定線１５を基準としてその両端から短辺６側へ弧状に形成されており、中央に半円状の凸部３５を有している。押罫３４は、上記押罫と同様のものであるが、開口用ミシン目３２に沿って角部が丸められた方形に形成されている。
【００２５】
差込スリット３７は、サイズ短縮用ミシン目１８の中央部の短辺１４側に形成される弧状の打ち抜きであり、サイズ短縮用ミシン目３３及び曲折予定線１５間の封止片４３を裏シート３側に曲折したときに封止片４３の凸部３５が挿入可能に構成されている。スタンド用ミシン目３９は、サイズ短縮用ミシン目１８及び短辺１４の中央部にかつ平行に位置する曲折予定線３８を基準としてその両端から略コ字状に形成されている。スタンド係止用ミシン目４２は、曲折予定線３８と垂直な曲折予定線４１の両端から山状にかつ曲折予定線３８を基準として対称に形成されており、中央部にＶ字状の切込み４７を有している。
【００２６】
上記構造の当該ピクチャーフレーム機能付き封筒３１は、まず上記封筒１と同様に切取用ミシン目１２からサイズ短縮用ミシン目３３及びサイズ短縮用ミシン目１８を切断して短辺６側部分を切除し、打抜き部３６から開口用ミシン目３２に沿って切断して表シート２の中央部を切除する。その後、内部に写真等のピクチャーを入れ、表シート２のサイズ短縮用ミシン目３３と曲折予定線１５との間の弧状の封止片４３を曲折予定線１５で裏シート３側に曲折し、封止片４３の凸部３５を裏シート３の差込スリット３７に挿入する。次に、裏シート３の打抜き部４０からスタンド用ミシン目３９及びスタンド係止用ミシン目４２に沿って切断し、スタンド用ミシン目３９で囲まれる略コ字状のスタンド片４４を曲折予定線３８で外側に略垂直に曲折し、スタンド係止用ミシン目４２で囲まれる舌片状のスタンド係止片４５を曲折予定線４１で外側に曲折する。このスタンド係止片４５の切込み４７とスタンド片４４の内方に形成されるＶ字状の切込み４６とを差し込み係合させる（図４参照）。これにより、ピクチャーフレームが完成し、表シート２の開口部から内部に収納したピクチャーが透明フィルム４を介して視認可能となり、図４に示すようにスタンド片４４によりピクチャーフレームを横に立てることができる。
【００２７】
本発明のピクチャーフレーム機能付き封筒は、図３の封筒３１の裏シート３に形成されるスタンド用ミシン目３９及びスタンド係止用ミシン目４２を有しないものと、裏シート３側を壁面等に貼着可能に構成する貼着手段とを備えることも可能である。この貼着手段によって当該封筒からなるピクチャーフレームを種々の場所に貼着することができる。この貼着手段としては、当該封筒により形成されるピクチャーフレームが種々の場所に貼着できれば特に限定されるものではないが、例えば図５に示すマグネットシート５１や図６に示す自己粘着シート６１がある。
【００２８】
図５のマグネットシート５１は、マグネット層５２と、このマグネット層５２の表面に積層される粘着剤層５３と、この粘着剤層５３の表面に積層される離型シート５４とを備えている。
【００２９】
マグネット層５２は、磁気を有し、鉄等の強磁性体との間に引力を生じるものであれば特に限定されず、例えば永久磁石粉末を混練した樹脂シート等の公知のものが用いられる。粘着剤層５３は、粘着剤（接着剤を含む）をマグネット層５２の表面に塗工等することで形成される。用いられる粘着剤としては、既知の種々のものが使用可能であるが、一般的には熱可塑性樹脂に粘着付与剤と可塑剤とが添加されたものであり、具体的には溶剤系粘着剤、エマルジョン系粘着剤などが挙げられる。離型シート５４は、粘着剤層５３側の面に離型機能（粘着剤層５３に対する剥離を容易にする機能）を有するシートである。この離型シート５４により粘着剤層５３の粘着性が貼り合わせ時まで遮蔽される。
【００３０】
当該マグネットシート５１によれば、離型シート５４を剥離し、露出した粘着剤層５３を当該封筒から形成されるピクチャーフレームの裏シート側に貼設することで、ピクチャーフレームを例えば鉄製書庫、冷蔵庫等の強磁性体部分に自在に貼り付け、表示に供することができる。
【００３１】
図６の自己粘着シート６１は、基材層６３と、この基材層６３の裏面に積層される自己粘着処理層６２と、基材層６３の表面の中央部に積層される粘着剤層６４と、この粘着剤層６４の表面に積層される離型シート６５とを備えるている。
【００３２】
基材層６３は、当該自己粘着シート６１に所定の強度を付与するものであり、例えばポリエチレン、ポリプロピレン、ポリメチルペンテン、エチレン酢酸ビニル樹脂、エチレンエチルアクリレート樹脂、エチレンアクリル酸樹脂、エチレンメタクリル酸樹脂、エチレンアクリル酸メチル樹脂、アイオノマー樹脂、ポリビニルアルコール、ポリエステル等が用いられる。自己粘着処理層６２は、接着剤や粘着剤などを用いることなく自己粘着力を発揮しうるものである。この自己粘着処理層６２は、具体的には、ａ）軟質ポリ塩化ビニル、ｂ）ポリビニルエーテルに塩化ビニルをグラフト重合させた合成樹脂、ｃ）アクリル酸エステルと塩化ビニルとをグラフト重合させた合成樹脂などの塩化ビニル系の軟質ポリマー、又は、これらの塩化ビニル系の軟質ポリマーに可塑剤や粘着付与剤などが配合された樹脂組成物を基材層６３裏面に塗工等することで形成される。粘着剤層６４及び離型シート６５は、上記マグネットシート５１と同様である。
【００３３】
当該自己粘着シート６１によれば、離型シート６５を剥離し、露出した粘着剤層６４を当該封筒からなるピクチャーフレームの裏シートに貼設することで、自己粘着処理層６２の自己粘着性によって当該ピクチャーフレームを例えば部屋の窓ガラス、冷蔵庫の壁面等の平滑面に自在に貼り付けることができる。また、当該自己粘着シート６１によれば、自己粘着処理層６２の自己粘着性により貼着しているため、貼り直しが容易かつ自在に行え、貼り付け面を汚したり、傷つけることが防止される。さらに、当該自己粘着シート６１とピクチャーフレームとの粘着剤層６４による接合が基材層６３の中央部のみとされているため、ピクチャーフレーム裏面の不平滑性に起因する自己粘着性の低下が低減される。
【００３４】
なお、本発明のピクチャーフレーム機能付き封筒は、上記実施形態に限定されるものではなく、例えばマグネットシート及び自己粘着シートは他の層を適宜積層することも可能である。
【００３５】
また、開口用ミシン目の形状は、上記図１及び図３の形態に限定されず、例えば丸形、菱形、ハート形等が可能であり、その他図７（ａ）及び図８（ａ）に示す形態も可能である。
【００３６】
図７（ａ）の開口用ミシン目７１は、表シート２の中央部に所定角度で交差する十字状に形成されている。この開口用ミシン目７１上を頂点とする複数の方形押罫７２が略等間隔で形成されている。図７（ｂ）に示すように、開口用ミシン目７１を切断し、開口用ミシン目７１で切断された４枚の三角状領域７３を任意の方形押罫７２で裏側等に折り返すことで、種々の立体的な額縁部が形成され、また開口部７４のサイズを封入する写真等に合わせて調整することができる。
【００３７】
図８（ａ）の開口用ミシン目８１は、中央部から略放射状に形成されている。この開口用ミシン目８１の複数の外端を結ぶよう多角形押罫８２が形成されている。図８（ｂ）に示すように、開口用ミシン目８１を切断し、開口用ミシン目８１で切断された複数の領域８３を外側に丸めることで、複数の円筒状体からなる立体的な額縁部が形成される。
【００３８】
【発明の効果】
以上説明したように、本発明のピクチャーフレーム機能付き封筒は、郵便、宅配等に供された後にピクチャーフレームとして使用することができる。従って、当該ピクチャーフレーム機能付き封筒によれば、使用価値及び寿命が延長し、環境負荷に及ぼす影響を低減することができる。
【図面の簡単な説明】
【図１】（ａ）及び（ｂ）は本発明の一実施形態に係るピクチャーフレーム機能付き封筒を示す表面図及び裏面図である。
【図２】（ａ）及び（ｂ）は図１の封筒をピクチャーフレームに組み立てた状態を示す表面側斜視図及び裏面側斜視図である。
【図３】（ａ）及び（ｂ）は図１の封筒とは異なる形態のピクチャーフレーム機能付き封筒を示す表面図及び裏面図である。
【図４】図３の封筒を組み立てた状態を示す裏面側斜視図である。
【図５】本発明の一実施形態に係る自己粘着シートを示す模式的斜視図である。
【図６】本発明の一実施形態に係るマグネットシートを示す模式的斜視図である。
【図７】（ａ）及び（ｂ）は図１及び図３の封筒とは異なる形態の開口用ミシン目及びその開口状態を示す表面図である。
【図８】（ａ）及び（ｂ）は図１及び図３の封筒とは異なる形態の開口用ミシン目及びその開口状態を示す表面図である。
【符号の説明】
１  ピクチャーフレーム機能付き封筒
２  表シート
３  裏シート
４  透明フィルム
５  糊代
６  短辺
７  切手貼設領域
８  開封目印線
９  開口用ミシン目
１０  サイズ短縮用ミシン目
１１  押罫
１２  切取用ミシン目
１３  宛先表示領域
１４  短辺
１７  打抜き部
１５  曲折予定線
１６  切込み
１８  サイズ短縮用ミシン目
１９  スタンド用ミシン目
２０  差出人表示領域
２１  略直線部
２２  湾曲部
２３  打抜き部
２４  切込み
２５  封止片
２６  スタンド片
２７  曲折予定線
３１  ピクチャーフレーム機能付き封筒
３２  開口用ミシン目
３３  サイズ短縮用ミシン目
３４  押罫
３５  凸部
３６  打抜き部
３７  差込スリット
３８  曲折予定線
３９  スタンド用ミシン目
４０  打抜き部
４１  曲折予定線
４２  スタンド係止用ミシン目
４３  封止片
４４  スタンド片
４５  スタンド係止片
４６  切込み
４７  切込み
５１  マグネットシート
５２  マグネット層
５３  粘着剤層
５４  離型シート
６１  自己粘着シート
６２  自己粘着処理層
６３  基材層
６４  粘着剤層
６５  離型シート
７１  開口用ミシン目
７２  方形押罫
７３  三角状領域
７４  開口部
８１  開口用ミシン目
８２  多角形押罫
８３  領域
【図１】
2004189294.tif 000003
【図２】
2004189294.tif 000004
【図３】
2004189294.tif 000005
【図４】
2004189294.tif 000006
【図５】
2004189294.tif 000007
【図６】
2004189294.tif 000008
【図７】
2004189294.tif 000009
【図８】
2004189294.tif 000010